(57)【特許請求の範囲】
【請求項１】
地面に接地させる接地部を下部に有するとともに、乳幼児が着座する座部を有して形成した乳幼児の沐浴などに用いられる乳幼児用椅子であって、
流入孔を、上記座部へ流れ込んだ液体が、上記座部と接地部と地面で囲まれた空間内へ流入するように、上記座部、或いは、その近傍部位に形成し、
上記スペーサ部を、上記接地部と地面との間に介在させるとともに、上記空間内の液体が外側へ流出できるように上記接地部に対して突状に形成し、
上記接地部を、内部に空気を充填させて形成し、
上記スペーサ部を、上記接地部よりも高い形状保持性を備えて形成し、
上記スペーサ部を、乳幼児が上記座部に着座した状態において、上記スペーサ部と上記接地部との双方が地面に接触するとともに、上記液体を上記空間内から外側へ流出させる間隙が上記スペーサ部の近傍に構成される厚みに形成した
乳幼児用椅子。
【請求項２】
上記スペーサ部における、少なくとも地面との接触部位に、滑り止め手段を具備した
請求項１に記載の乳幼児用椅子。
【請求項３】
上記滑り止め手段を、上記接地部の摩擦係数より高い摩擦係数を有する滑り止めシート部材により形成し、
上記滑り止めシート部材における外側縁部を、上記接地部に固着した
請求項２に記載の乳幼児用椅子。
【請求項４】
上記スペーサ部における地面との接触部位に、凹凸部を形成した
請求項１から請求項３のうちいずれか１項に記載の乳幼児用椅子。
【請求項５】
上記スペーサ部を弾性部材により形成した
請求項１から請求項４のうちいずれか１項に記載の乳幼児用椅子。
【発明の詳細な説明】
【技術分野】
【０００１】
この発明は、風呂場の床面など通常、滑り易いといわれる水回り設備周辺における接地面であっても、滑らないように接地することのできる乳幼児用椅子に関する。
【背景技術】
【０００２】
例えば乳児を、沐浴させる場合、地面（接地面、或いは、床面）は、水に濡れた状態となるため、該乳幼児用椅子は、地面に対して滑り易くなる。
【０００３】
ところで、上記乳幼児用椅子には、外側を、可撓性、及び、撥水性を有するシート状の袋体によって形成するとともに、その内部に空気を充填させて椅子型に形成した、いわゆるエア充填型の構成を採るものも多数存在する。
【０００４】
このため、このような乳幼児用椅子を用いて乳児を沐浴させる場合、地面に対して乳幼児用椅子が特に滑り易くなるため、沐浴させる手間を要するばかりでなく、乳児が転倒して怪我をしてしまうなどの危険性を伴うことがあった。
【０００５】
これに対して、乳幼児用椅子の中でも、地面に対して、しっかりと接地するために下部を地面に吸着させて用いるものが下記特許文献において開示されている。
【０００６】
上記特許文献において開示される「椅子等の固定装置」（以下、「固定装置」とする）の構成は、地面に接地される脚部と、該脚部に対して上側に連接された胴体部とを具備している。
【０００７】
さらに、上記固定装置には、上記胴体部の上面において荷重受部を張設している。
【０００８】
また、上記脚部、及び、胴部における平面視したときの中央部には、上記荷重受部から下端部まで上下方向に連通する中空室を構成している。
【０００９】
よって、上記荷重受部を、下方へ、すなわち、中空室内へと押し込んで変形させることができる。
【００１０】
このように、荷重受部を変形させることにより、中空室内の空気を上記脚部と地面との間から排出させることができるため、上記固定装置は、その全体を地面に対して吸盤のように吸着させて接地することができ、結果的に、乳幼児の安全性を確保することができる旨の記載が下記特許文献１においてなされている。
【００１１】
しかし、下記特許文献１における上記固定装置は、以下に示すような課題を有するといわざるを得ない。
【００１２】
上記荷重受部を、下方（中空室内）へと押し込んで変形させて上記固定装置を、吸盤作用により地面に対して接地させた場合、乳幼児が着座する部位、すなわち、上記荷重受部が凹状の形態を維持することなる。
【００１３】
すなわち、沐浴中において上記荷重受部は、上述した吸盤作用により、常に凹状の形態を維持することになり、変形後の上記荷重受部の形態に乳児の臀部がフィットせず、スムーズに乳幼児の沐浴を行うことができず、乳幼児にとっても不快感を与えてしまうといった難点を有する。その他にも、洗髪後の汚れた湯が凹状に変形した荷重受部に溜まってしまい衛生的でないといった課題も有する。
【００１４】
さらに、下記特許文献１における上記固定装置は、強力な吸着作用を得るために、床に押し付けて接地させたり、逆に使用後は、強引に持ち上げて吸着作用を解除させたりする必要があるため、沐浴の際に余計な労力を要してしまう。
【００１５】
【特許文献１】特許第３１２７２８６号公報
【発明の開示】
【発明が解決しようとする課題】
【００１６】
そこで本発明では、地面に対して安定した状態に接地したり、容易に持ち上げたりすることができ、良好な水はけを確保することにより、乳幼児の沐浴に最適な乳幼児用椅子の提供を目的とする。
【課題を解決するための手段】
【００１７】
本発明の乳幼児用椅子は、地面に接地させる接地部を下部に有するとともに、乳幼児が着座する座部を有して形成した乳幼児の沐浴などに用いられる乳幼児用椅子であって、流入孔を、上記座部へ流れ込んだ液体が、上記座部と接地部と地面で囲まれた空間内へ流入するように、上記座部、或いは、その近傍部位に形成し、上記スペーサ部を、上記接地部と地面との間に介在させるとともに、上記空間内の液体が外側へ流出できるように上記接地部に対して突状に形成し、上記接地部を、内部に空気を充填させて形成し、上記スペーサ部を、上記接地部よりも高い形状保持性を備えて形成し、上記スペーサ部を、乳幼児が上記座部に着座した状態において、上記スペーサ部と上記接地部との双方が地面に接触するとともに、上記液体を上記空間内から外側へ流出させる間隙が上記スペーサ部の近傍に構成される厚みに形成したことを特徴とする。
【００１８】
また、本発明の乳幼児用椅子は、上記スペーサ部における、少なくとも地面との接触部位に、滑り止め手段を具備することもできる。
【００１９】
ここで、上記滑り止め手段とは、例えば、後述する軟質弾性部材、或いは、粘着剤を塗付したり、粘着剤をスプレー状に吹き付けたりするなどして形成した粘着層を含む。
【００２０】
上記軟質弾性部材とは、地面にしっかりと密着する部材であれば、特に限定せず、例えば、塩化ビニール樹脂部材に可塑剤（柔軟剤）、又は／及び、発泡材を含有して形成した軟質塩化ビニール樹脂部材などの軟質の合成樹脂であってもよく、その他にも天然ゴム、合成ゴム、シリコーン、或いは、これらを組み合わせたものなどを適用することができる。
【００２１】
さらに、本発明の乳幼児用椅子は、上記滑り止め手段を、上記接地部の摩擦係数より高い摩擦係数を有する滑り止めシート部材により形成し、上記滑り止めシート部材における外側縁部を、上記接地部に固着して形成することができる。
【００２２】
さらに、本発明の乳幼児用椅子は、上記スペーサ部における地面との接触部位に、凹凸部を形成することが好ましい。
【００２３】
また、本発明の乳幼児用椅子は、上記スペーサ部を弾性部材により形成してもよい。
【発明の効果】
【００２４】
請求項１に係る発明によれば、乳幼児用椅子は、スペーサ部を具備することにより、スペーサ部自体を滑り止め用の部材として作用させることができる。すなわち、上記乳幼児用椅子を地面に接地させ、乳幼児が上記座部に着座した状態において、スペーサ部は、乳幼児用椅子に着座した乳幼児の荷重を集中的に受けることになり、該スペーサ部自体を積極的に地面を押し付けた状態となる。
【００２５】
従って、上記スペーサ部を具備することにより、乳幼児用椅子を床面に対して滑りにくく安定して接地させることができる。
【００２６】
また、乳幼児用椅子は、流入孔を座部、或いは、その近傍に形成することにより、例えば、沐浴を行う際に、乳幼児用椅子の座部側へと流入した液体が座部において貯液してしまうことを防止することができる。
【００２７】
さらに、上記接地部における上記地面との接触部位において、上記間隙が上記スペーサ部の近傍に構成されるため、乳幼児用椅子は、該乳幼児用椅子内に格納した、上記汚れた液体を、上記間隙を通じて乳幼児用椅子に対して外側へスムーズに流出させることができる。
【００２８】
よって、汚れた液体が乳幼児用椅子内に貯液してしまうことがなく、一旦、座部と接地部と地面で囲まれた空間内に格納した、上記汚れた液体が再度、乳児に接触してしまうこと略回避できる。
【００２９】
上述したように、請求項１に係る乳幼児用椅子は、シャンプーや汚れを含んだ液体が座部側に貯液されることがないため、乳児に対して不快感を与えず、衛生的であり、さらに、沐浴に要する時間を短縮することができるといった効果を有する。
【００３０】
請求項２に係る発明によれば、乳幼児用椅子は、上記スペーサ部における、少なくとも地面との接触部位に、滑り止め手段を具備することにより、スペーサ部自体が滑り難くなり、さらに全体の安定性を向上させることができる。
【００３１】
請求項３に係る発明によれば、上記滑り止めシート部材により形成し、上記滑り止めシート部材における外側縁部を、上記接地部に固着することにより、スペーサ部の厚みを構成する部材も上記滑り止めシート部材によって、その内部に具備された状態で一体に取り付けることができる。
【００３２】
このため、上記スペーサ部の厚みを構成する部材が例えば、弾性部材である場合、該弾性部材が圧縮されたとき、弾性部材の外側から上記滑り止めシート部材が該弾性部材の断面が広がり過ぎないよう形態を保持し、確実に地面と接地部との間に間隙を確保することができる。
【００３３】
請求項４に係る発明によれば、上記スペーサ部における地面との接触部位に、凹凸部を形成することにより、地面に対して係合し易くなるため、滑り止め作用を向上させることができる。
【００３４】
さらに、上記凹凸部を、乳幼児用椅子内から外部へ流出する方向に沿って形成すれば、液体の排水用の溝部としても機能させることができる。
【００３５】
請求項５に係る発明によれば、上記スペーサ部を弾性部材により形成することにより、乳幼児用椅子を床面に接地させたときに弾性部材が弾性変形する。すなわち、弾性部材の弾性力により、床面に対しての密着性を向上させることができるため、乳幼児用椅子を床面に対して安定性して接地させることができる。
【発明を実施するための最良の形態】
【００３６】
この発明の一実施形態を、以下図面を用いて説明する。  
図１は、本実施形態における乳児用空気入り座椅子１０の外観を示す。
【００３７】
上記乳児用空気入り座椅子１０は、床面（地面）に接地可能に平面視円環状形態に形成した接地部１１を下部外周部において具備している。さらに、上記平面視円環状形態に形成した接地部１１の中央部に相当する部位には、乳児Ａが臀部を載置して着座する座部１２を具備している。
【００３８】
上記座部１２には、５つの流入孔１３を形成し、その上下各側を連通させている。上記５つの流入孔１３は、該座部１２の外周側において周方向にかけて等分配して形成している。
【００３９】
なお、上記座部１２には、芯材１２ａを内在させて乳児Ａの臀部を支持可能に形成している。上記芯材１２ａは、弾性ウレタン部材２３を平面視略円板形状とした部材により形成している。
【００４０】
さらに、上記座部１２は、その外周側部位を上記接地部１１における内周側部位と連結部１４を介して連結している。すなわち、上記座部１２は、上記接地部１１の中央部において連結部１４を介して上記接地部１１に張設されている。
【００４１】
なお、上記連結部１４は、断面視すると、図２に示したように、上記接地部１１の内周側から上下方向に所定の厚みを有して接地部１１の中心側へ突き出した形態を採り、このように突き出すに従って徐々に幅小となり、その先端部を上記座部１２に連結した形態を採る。
【００４２】
一方、上記接地部１１における上側には、上記座部１２に着座した乳児Ａを外周側から保持する保持部１５を具備している。  
上記保持部１５は、上記座部１２に着座した乳児Ａの背面側に有して主に乳児Ａの背凭れとなる背凭れ部１５ａ、乳児Ａの左右両側に有して主に乳児Ａの肘掛けとなる肘掛け部１５ｂ、及び、上記背凭れ部１５ａと対向する背凭れ対向部１５ｃを具備して形成している。
【００４３】
上記背凭れ部１５ａ、及び、上記肘掛け部１５ｂは、平面視略Ｕ字形状をして一体に形成し、乳児用空気入り座椅子１０の前側に該Ｕ字形状の開口側を臨ませて接地部１１に対して一体に形成している。  
ちなみに、上記背凭れ部１５ａにおける上側には、着座した乳児の頭頸部、若しくは、頭部を支持可能な補助背凭れ部１５ｄを具備し、保持部１５の一部を形成している。
【００４４】
上記補助背凭れ部１５ｄの形態は、特にその形態については限定せず、枕形など様々な形態により形成してもよいが、本実施例においては、袋状シート部を左右方向に５つの節部を形成し、６つの区画を備えて形成した帆立貝型（シェル型）の形態により形成している。さらに、上記補助背凭れ部１５ｄは、帆立貝型における基部側に相当する部位を上記背凭れ部１５ａにおける上部に一体に熱溶着している。
【００４５】
一方、上記背凭れ対向部１５ｃは、上記接地部１１における前端における着座した乳児Ａの股間部に相当する部位から上記背凭れ部１５ａと対向すべく突設している。
【００４６】
ところで、上記接地部１１、上記連結部１４、及び、上記保持部１５は、シート状部材１１の内部に空気を注入して膨張させた膨張袋状に形成しているが、上記保持部１５、及び、上記連結部１４は、それぞれ上記接地部１１と内部で連通状態に形成している。さらに、上記保持部１５における上記背凭れ部１５ａ、及び、上記補助背凭れ部１５ｄは、互いに内部において連通状態に形成している。
【００４７】
さらにまた、乳児用空気入り座椅子１０は、接地部１１の下端部における１部位にのみ、空気の注入、排出を任意に可能とする空気通過用口部材を具備している（図示せず）。
【００４８】
よって、上述したように、上記乳児用空気入り座椅子１０を構成する上記接地部１１、上記連結部１４、及び、上記保持部１５は、互いに内部において連通して一体に形成しているため、上記空気通過用口部材に空気を注入するだけで、本実施例における乳児用空気入り座椅子１０は、全体を所望の形態に膨張させることができる。勿論、例えば、シェル型に形成した上記補助背凭れ部１５ｄのみを他の部位と独立して空気通過用口部材を別途、具備させ形成してもよい。
【００４９】
乳児用空気入り座椅子１０は、上記空気通過用口部材に空気を注入して膨張させたとき、上記図１に示したように、上記座部１２が凹底部に相当する凹状形態となる。
【００５０】
また、本実施例における乳児用空気入り座椅子１０は、図３に示したように、接地部１１における床面との接触部位に８つのスペーサ部２１を配設している。上記スペーサ部２１は、接地部１１を底面視したとき、接地部１１を周方向について８等分配するように具備している。  
なお、上記図３は、乳児用空気入り座椅子１０を底面視したときの図を示す。
【００５１】
スペーサ部２１は、接地部１１に対して下方に突状に形成し（図２参照）、乳児用空気入り座椅子１０を床面に接地させたとき、床面と接地部１１との間に介在することになる。
【００５２】
具体的に、上記スペーサ部２１は、図４（ａ），（ｂ），（ｃ）に示したような形態を採る。ちなみに、図４（ａ）は、図３における領域Ｘの拡大図を示し、図４（ｂ），（ｃ）は、それぞれ図４（ａ）におけるＡ−Ａ端面図、Ｂ−Ｂ端面図を示す。
【００５３】
すなわち、上記スペーサ部２１は、内部に円柱形をした弾性ウレタン部材２３を具備し、該弾性ウレタン部材２３の外側には、上述した乳児用空気入り座椅子１０を構成するシート状部材１０ａよりも高い摩擦係数を有する軟質塩化ビニール製の滑り止めシート部材２２を具備している。上記滑り止めシート部材２２は、上記弾性ウレタン部材２３を封入可能な大きさを有する円板状に形成している。
【００５４】
上記スペーサ部２１の上記シート状部材１０ａへの取り付けは、上記弾性ウレタン部材２３を接地部１１に対面させるとともに、さらに滑り止めシート部材２２を該弾性ウレタン部材２３の下側から臨ませた状態で、該滑り止めシート部材２２の外周縁部を上記シート状部材１０ａに対して熱溶着させている。これにより、上記スペーサ部２１は、接地部１１に対して一体に取り付けている。
【００５５】
また、上記滑り止めシート部材２２における床面との接触面には、接地部１１における周方向沿いに複数の溝部２２ａ…を形成している（上記図４（ａ），（ｃ）参照）。
【００５６】
本実施例における乳児用空気入り座椅子１０は、上述したように形成している。
【００５７】
以下では、乳児用空気入り座椅子１０を用いて乳児を沐浴する場合において、乳児用空気入り座椅子１０が奏する作用、効果について説明する。
【００５８】
まず、例えば、風呂場の床面Ｃに接地させた乳児用空気入り座椅子１０に乳児Ｂを着座させる。このとき、乳児用空気入り座椅子１０の内部には、図５に示したように周囲を座部１２、接地部１１、及び、床面Ｃなどにより閉塞された空間部Ａが構成されることになる。
【００５９】
また、乳児用空気入り座椅子１０を床面Ｃに接地させたとき、上記接地部１１については、スペーサ部２１が該接地部１１を構成するシート状部材１０ａと床面Ｃとの間に介在することになる。しかも、接地部１１には、着座した乳児Ｂの体重が加わるため、スペーサ部２１は、床面Ｃに押し付けられるが、その押し付け力により、接地部１１の下側から突き出していたスペーサ部２１は、逆に、接地部１１内へ入り込むことになる。
【００６０】
すなわち、乳児用空気入り座椅子１０は、上記図５に示したように、乳児Ｂが着座した状態において接地部１１におけるシート状部材１０ａと、接地部１１に配設したスペーサ部２１とが床面Ｃに接触した状態で、床面Ｃに接地した形態となる。
【００６１】
このとき、接地部１１におけるスペーサ部２１の外周側近傍部位においては、床面Ｃと接地部１１との間に間隙Ａ１（空間）を構成することができる。
【００６２】
これは、スペーサ部２１の内部に有する上記弾性ウレタン部材２３の厚み（ｄ１）、及び、弾性係数を、予め乳児用空気入り座椅子１０を床面Ｃに接地させて弾性変形させた状態においても、変形後の弾性ウレタン部材２３の厚み（ｄ２）が、このような間隙Ａ１を構成できるように設定しているためである。  
ちなみに、目安として上記弾性ウレタン部材２３の厚み、すなわち、スペーサ部２１の突き出し量は、２ｍｍから２０ｍｍ程度であり、変形後の厚み、すなわち、間隙Ａ１の長さ（ｄ２）は、１ｍｍから１５ｍｍ程度である。
【００６３】
また、乳児Ｂが乳児用空気入り座椅子１０における座部１２に着座すると、該座部１２には、乳児Ｂの体重が加わるため、空間部Ａの側へ押し下げられる（図５の仮想線参照）。これに伴って、弾力を有する保持部１５は、連結部１４を介して乳児Ｂの側に傾くよう作用する。これにより、保持部１５は、乳児Ｂを保持し、着座した状態に留めておくことができる。さらに、乳児Ｂは、シェル型をした補助背凭れ部によって、頭頸部、若しくは、頭部が支持された快適な状態で乳児用空気入り座椅子１０に着座することができる（図示せず）。
【００６４】
上述したように乳児Ｂが乳児用空気入り座椅子１０に着座した状態において、例えば、乳児Ｂを洗髪するために乳児Ｂの頭部側から湯Ｄを流下させた場合、湯Ｄは、乳児Ｂの身体と保護部との隙間を通じて、凹状形態をしている乳児用空気入り座椅子１０の内側、すなわち、座部１２の側へと流れ込んでくることになる。
【００６５】
ところが、乳児用空気入り座椅子１０は、凹状形態により形成し、その凹底部に相当する座部１２には、上述したように５つの流入孔１３を形成しているため、該流入孔１３を通じて座部１２の側へと流れ込んできた湯Ｄを上記空間部Ａの側へと流入させることができる（上記図５参照）。
【００６６】
さらに、上記空間部Ａは、上記間隙Ａ１を通じて乳児用空気入り座椅子１０に対して外側と連通しているため、空間部Ａ内へと流れ込んできた湯Ｄを、図６に示したように、上記間隙Ａ１を通じて確実に乳児用空気入り座椅子１０に対して外側へと排水させることができる。
【００６７】
本実施例における乳児用空気入り座椅子１０は、例えば、上述したような乳児Ｂを洗髪する一実施例のようにして用いることができ、次のような特筆すべき効果を得ることができる。  
乳児用空気入り座椅子１０を、床面Ｃに接地させたとき、接地部１１における周方向に配設したスペーサ部２１に具備した滑り止めシート部材２２が床面Ｃに接触した状態で接地することになる。さらに、滑り止めシート部材２２における接触面には、複数の溝部２２ａを形成しているため、スペーサ部２１が床面Ｃに接触したとき、床面Ｃに係合し易くなる。
【００６８】
さらにまた、スペーサ部２１は、弾性ウレタン部材２３が弾性変形するため、弾性力（復元力）を床面Ｃに対する押し付け力として利用できるため、積極的に床面Ｃに対して密着させた状態で接地させることができる。
【００６９】
このため、乳児用空気入り座椅子１０を、単にシート状部材１０ａのみを床面Ｃに接触させた状態で接地する場合と比較して格段に安定して接地することができる。
【００７０】
特筆すべくは、本実施例における乳児用空気入り座椅子１０は、吸着作用を利用しないにも関わらず、しっかりと床面Ｃに対して摺動することなく接地させることができ、しかも、吸着作用を利用していないため、使用後は、乳児用空気入り座椅子１０を容易に持ち上げることができることである。
【００７１】
さらに、スペーサ部２１は、弾性ウレタン部材２３を具備して弾性を備えて形成することにより、床面Ｃを傷めないなどの効果も有する。このため、ゴム部材など他の弾性部材により形成することが好ましい。但し、記載するまでもなく弾性部材を具備して形成するに限定せず、合成樹脂などの剛体の部材により形成することもできる。
【００７２】
また、洗髪後に洗い流したシャンプーなどの洗剤や汚れを含んだ湯Ｄが凹状形態を採る乳児用空気入り座椅子１０の座部１２の側において貯液してしまうことなく、流入孔１３を通じて乳児用空気入り座椅子１０内に有する空間部Ａへとスムーズに流し込むことができる。このため、乳児Ｂの沐浴をスムーズに行うことができる。
【００７３】
さらに、乳児用空気入り座椅子１０の下端に位置する間隙Ａ１は、流入孔１３から空間部Ａに流れ込んだ、汚れた湯Ｄを乳児用空気入り座椅子１０に対して外側へ確実に排水することができるため、乳児Ｂの身体に再度、汚れた湯Ｄが接触することもないため、乳児Ｂにとっても不快感を伴うことがない。
【００７４】
加えて、座部１２に対して上側に湯Ｄが貯液することによって、乳児用空気入り座椅子１０全体の重心が不用意に高くなってしまうことがなく、乳児用空気入り座椅子１０の形態安定性も確保することができる。
【００７５】
本実施例における乳児用空気入り座椅子１０は、このように様々な効果を奏することができるものの、上記実施例の形態に限定せず、その他にも様々な構成で形成することができる。
【００７６】
以下では、乳児用空気入り座椅子１０における構成のうち、例えば、上記スペーサ部２１とは異なる他の構成を採るスペーサ部３１，４１，５１，６１，７１について説明するが、上述した実施例における乳児用空気入り座椅子１０の構成と同様の構成については、同一の符号を付して、その説明を省略する。
【００７７】
本実施例におけるスペーサ部３１は、図７（ａ），（ｂ），（ｃ）に示したように形成している。具体的に、本実施例におけるスペーサ部３１は、滑り止めシート部材２２における複数の溝部２２ｂを、実施例１におけるスペーサ部２１に有する溝部２２ａの形成方向に対して９０度回転させた方向へ、すなわち、乳児用空気入り座椅子１０を底面視したとき、該乳児用空気入り座椅子１０の中心側と外側とを結ぶ方向に形成している。
【００７８】
上記形態を採る溝部２２ｂを形成することにより、実施例１における滑り止めシート部材２２に形成した複数の溝部２２ａと同様に床面Ｃに対して係合し易くなり、さらに安定して接地することができるのに加えて、図７（ｂ）における要部拡大図に示したように、溝部２２ｂを、上記空間部Ａ内に流入した湯Ｄを外側へ流出するための流出用の通路としても作用させることができる。
【００７９】
これは、上記スペーサ部２１に対して外周側に有する上記間隙Ａ１に加えて、スペーサ部２１に上記形態を採る溝部２２ｂを形成することにより、空間部Ａと乳児用空気入り座椅子１０の外側とが連通する間隙Ａ２を確保することができるためである。
【００８０】
その他にも、スペーサ部は、様々な形態により形成することができる。
【００８１】
例えば、図８（ａ）に示したように、スペーサ部４１は、乳児用空気入り座椅子１０を構成する上記シート状部材１０ａに直接、弾性ウレタン部材２３を溶着した形態であってもよい。
【００８２】
また、スペーサ部は、図８（ｂ）に示したように、床面Ｃに対する接触面にのみ滑り止め防止シート部材２３ａを具備するよう固着している。なお、滑り止め防止シート部材２３ａを上記シート状部材１０ａへ固着する手段は、特に限定せず、該滑り止め防止シート部材２３ａを床面に対する接触面に相当する大きさにより形成し、上記シート状部材１０ａに対して接着剤により接着する、或いは、熱溶着してもよい。
【００８３】
さらにまた、スペーサ部は、図８（ｃ）に示したように形成してもよい。すなわち、本実施例におけるスペーサ部６１は、上記実施例におけるスペーサ部２１，３１，４１，５１に相当する形態となるよう接地部１１に対して乳児用空気入り座椅子１０を構成するシート状部材１０ａを突状に形成している。さらに、上記スペーサ部６１における床面Ｃに対する接触面は、乳児用空気入り座椅子１０を構成するシート状部材１０ａとし、直接、該シート状部材１０ａが床面Ｃに対して接触するよう形成してもよいが、図８（ｃ）に示したように、シート状部材１０ａにおける床面Ｃに対する接触面に対応する部位に滑り止め防止シート状部材６１ｂを具備してもよい。
【００８４】
最後に、スペーサ部は、図８（ｄ）に示したように、接地部１１におけるシート状部材１０ａに対して着脱可能に構成してもよい。
【００８５】
具体的に、接地部１１を構成するシート状部材１０ａにおける本実施例におけるスペーサ部材７１と対面する部位には、一方の側の面ファスナ７１ａを添着し、スペーサ部材７１における上記シート状部材１０ａへの対面部位には、上記一方の側の面ファスナ７１ａへ係合可能な他方の面ファスナ７１ｂを添着している。
【００８６】
勿論、スペーサ部材７１をシート状部材１０ａへ着脱する手段は、上記一対の面ファスナ７１ａ，７１ｂに限定せず、一対のスナップ、或いは、一対のスライドファスナなど他の着脱手段であってもよい。
【００８７】
このように、スペーサ部は、上述したように該スペーサ部２１，３１，４１，５１，６１、或いは、スペーサ部材７１の近傍において接地部１１と床面Ｃとの間に空間部Ａの湯Ｄを排出可能な間隙Ａ１が確保できる厚み、弾性を有していれば、特に限定せず、様々な形態で構成することができる。
【００８８】
また、上述の実施形態と、この発明の構成との対応において、この実施形態の乳児用空気入り座椅子１０は、この発明の乳幼児用椅子に対応し、以下同様に、
スペーサ部２１，３１，４１，５１，６１、又は、スペーサ部材７１は、スペーサ部に対応し、
溝部２２ａ，２２ｂは、凹凸部に対応し、
弾性ウレタン部材２３は、弾性部材に対応するも、
この発明は、上述の実施形態の構成のみに限定されるものではなく、上述したように多くの実施の形態を得ることができる。
【図面の簡単な説明】
【００８９】
【図１】本実施例における乳児用空気入り座椅子の外観図。
【図２】本実施例における乳児用空気入り座椅子の片側断面図。
【図３】本実施例における乳児用空気入り座椅子の底面図。
【図４】図３における領域Ｘの拡大図（ａ）、図４（ａ）におけるＡ−Ａ端面図（ｂ）、図４（ｂ）におけるＢ−Ｂ端面図（ｃ）。
【図５】本実施例における乳児用空気入り座椅子の作用状態を示す要部拡大図。
【図６】本実施例における乳児用空気入り座椅子の使用状態における図４（ｂ）に相当する部位を示す説明図。
【図７】他のスペーサ部の断面図（ａ）、乳児用空気入り座椅子の使用状態における他のスペーサ部の断面図（ｂ）、他の乳児用空気入り座椅子を示す図２における領域Ｘに相当する部位の拡大図（ｃ）。
【図８】他の実施例におけるスペーサ部の断面図（ａ）、（ｂ）、（ｃ）、他の実施例におけるスペーサ部材の断面図（ｄ）。
【符号の説明】
【００９０】
１０…乳児用空気入り座椅子
１１…接地部
１２…座部
１３…流入孔
２１，３１，４１５１，６１…スペーサ部
７１…スペーサ部材
２２…滑り止めシート部材
２３…弾性ウレタン部材
２２ａ，２２ｂ…溝部
【図１】
0004435726.tif 000002
【図２】
0004435726.tif 000003
【図３】
0004435726.tif 000004
【図４】
0004435726.tif 000005
【図５】
0004435726.tif 000006
【図６】
0004435726.tif 000007
【図７】
0004435726.tif 000008
【図８】
0004435726.tif 000009